(57)【特許請求の範囲】
【請求項１】
吸込口と吹出口とを有する本体ケースと、
前記本体ケース内に設けた空気調和手段と、
前記吸込口から吸い込まれた空気を、送風路により、前記空気調和手段を介して前記吹出口から吹き出す送風手段とからなり、
前記吸込口は、前記本体ケースにおける一方側の側面に設けられ、前記本体ケースの一方側の側面には、外方に突出した凸部を備え、
前記送風路は、前記本体ケースの前記凸部によって、前記送風路の途中に水平断面積が増加した第１の送風路部分を有し、
前記送風手段は、
前記送風路内に設けられたモータと、
前記モータによって回転する羽根部分とからなり、
前記羽根部分は、下部から空気を吸い込むと共に、側周から吹き出す遠心ファンであり、前記羽根部分から吹き出される空気は、前記第１の送風路部分に吹き出されることを特徴とする空気調和装置。
【請求項２】
前記羽根部分に吸い込まれる空気は、前記送風路である前記第１の送風路部分の上流側で、空気が流れる方向に水平断面積が徐々に増加する第２の送風路部分から吸い込まれることを特徴とする請求項１に記載の空気調和装置。
【請求項３】
前記羽根部分は、上面が開口した椀形状の主板部分と、前記主板部分の下面から下方に延びた複数の羽根部分と、複数の前記羽根部分の先端に設けられた下部開口が上部開口より小さい円筒形状のリング部分とからなり、前記リング部分は、前記送風路における前記第２の送風路部分に位置する構成としたことを特徴とする請求項２に記載の空気調和装置。
【請求項４】
前記凸部の最突出部から前記吹出口の一方側の側面側の縁部に水平方向で所定の距離を有した配置の構成としたことを特徴とする請求項１から３のいずれかに記載の空気調和装置。
【請求項５】
前記凸部の上部は、下方から上方に向かうにつれて突出する寸法が減少する傾斜面を有し、前記送風路は、前記第１の送風路部分の下流側には、前記傾斜面に沿うように空気が流れる方向に水平断面積が徐々に減少する第３の送風路部分を備えたことを特徴とする請求項４に記載の空気調和装置。
【請求項６】
前記羽根部分の上方に、前記羽根部分の主板部分とほぼ同寸法の円柱を主板部分からほぼ距離をあけずに配置したことを特徴とする請求項３に記載の空気調和装置。
【請求項７】
前記凸部から前記本体ケースの一方側の側面側へ突起した突起部を備えたことを特徴とする請求項１から６のいずれかに記載の空気調和装置。
【請求項８】
前記円柱の内部に前記モータを配置したことを特徴とする請求項６に記載の空気調和装置。
【発明の詳細な説明】
【技術分野】
【０００１】
本発明は、本体の側周面に、吸込口を備えた空気調和装置に関する。
【背景技術】
【０００２】
従来のこの種の空気調和装置の構成は、以下のようになっていた。
【０００３】
すなわち、吸込口と吹出口とを有する本体ケースと、本体ケース内に設けた空気調和手段と、送風手段とから構成している。送風手段によって、吸込口から吸い込まれた空気は、空気調和手段を介して吹出口から吹き出された。吸込口は、本体ケースにおける一方側の側面に設けられていた。
【先行技術文献】
【特許文献】
【０００４】
【特許文献１】特開２０１０−１５１４１７号公報
【発明の概要】
【発明が解決しようとする課題】
【０００５】
このような従来例の空気調和装置では、誤って壁に接するように置かれた場合に、送風量が低下する課題がある。
【０００６】
従来の物においては、空気調和装置は、室内で使用する場合には、壁から離した位置に置いて使用するものである。ところが、吸込口が、本体ケースにおける一方側の側面に設けられている場合に、この一方側の側面を、誤って壁に接するように置かれると、吸込口が壁によって塞がれる。これにより、送風量が低下し、空気調和手段によって、室内の空気を十分処理することが困難であった。
【０００７】
そこで本発明は、空気調和装置が誤って壁に接するように置かれた場合にも、送風量が低下することを抑制することを目的とするものである。
【課題を解決するための手段】
【０００８】
そして、この目的を達成するために、本発明は、吸込口と吹出口とを有する本体ケースと、前記本体ケース内に設けた空気調和手段と、前記吸込口から吸い込まれた空気を、送風路により、空気調和手段を介して前記吹出口から吹き出す送風手段とからなり、前記吸込口は、前記本体ケースにおける一方側の側面に設けられ、前記本体ケースの前記一方側の側面には、外方に突出した凸部を備え、前記送風路は、前記本体ケースの前記凸部によって、前記送風路の途中に水平断面積が増加した第１の送風路部分を有し、前記送風手段は、前記送風路内に設けられたモータと、前記モータによって回転する羽根部分とからなり、前記羽根部分は、下部から空気を吸い込むと共に、側周から吹き出す遠心ファンであり、前記羽根部分から吹き出される空気は、前記第１の送風路部分に吹き出されることを特徴としたものであり、これにより所期の目的を達成するものである。
【発明の効果】
【０００９】
本発明によれば、吸込口と吹出口とを有する本体ケースと、前記本体ケース内に設けた空気調和手段と、前記吸込口から吸い込まれた空気を、送風路により、空気調和手段を介して前記吹出口から吹き出す送風手段とからなり、前記吸込口は、前記本体ケースにおける一方側の側面に設けられ、前記本体ケースの前記一方側の側面には、外方に突出した凸部を備え、前記送風路は、前記本体ケースの前記凸部によって、前記送風路の途中に水平断面積が増加した第１の送風路部分を有し、前記送風手段は、前記送風路内に設けられたモータと、前記モータによって回転する羽根部分とからなり、前記羽根部分は、下部から空気を吸い込むと共に、側周から吹き出す遠心ファンであり、前記羽根部分から吹き出される空気は、前記第１の送風路部分に吹き出されることを特徴としたものである。
【００１０】
このように、吸込口が、本体ケースにおける一方側の側面に設けられ、本体ケースの一方側の側面には、外方に突出した凸部が設けられている。これにより、吸込口を備えた一方側の側面を、誤って壁に接するように置かれた場合にも、凸部によって、吸込口と壁との間に空間ができるので、吸込口が壁によって塞がれない。
【００１１】
結果として、送風量が低下することを抑制できる。
【図面の簡単な説明】
【００１２】
【図１】本発明の実施の形態１の空気調和装置を示す斜視図
【図２】同空気調和装置の断面図
【図３】同空気調和装置の断面図
【図４】同空気調和装置の送風手段の詳細断面図
【発明を実施するための形態】
【００１３】
以下、本発明の実施の形態について図面を参照しながら説明する。
【００１４】
（実施の形態１）
図１は、本発明の実施の形態１の空気調和装置を示す斜視図である。図１は、本体ケースにおける背面側から見た斜視図である。図２は、本発明の実施の形態１の空気調和装置を示す断面図である。図２は、本体ケースにおける右側から見たもので、主に送風手段と空気調和手段とを示した断面図である。図３は、本発明の実施の形態１の空気調和装置を示す断面図である。図３は、本体ケースにおける前面から見たもので、主に送風手段と空気調和手段とタンク部分とを示した断面図である。
【００１５】
図１、図２、および図３に示すように、空気調和装置は、本体ケース１と、この本体ケース１内に設けられた空気調和手段２と、送風手段３とを備えている。空気調和手段２と送風手段３は、吸込口４と吹出口５とを連通する送風路６内に設けられている。
【００１６】
本体ケース１は、横長の箱形状である。本体ケース１の外周面における一方側（背面側）の側面の下部には吸込口４が備えられている。本体ケース１の天面における本体ケース１の前面から見て左側には、吹出口５が備えられている。
【００１７】
空気調和手段２の１例は、加湿部７である。加湿部７は、貯水容器８と、加湿フィルター９と、タンク部分１０とを有している。
【００１８】
貯水容器８は、上面が開口した椀形状で、本体ケース１内の下部に着脱自在に設けられている。貯水容器８の本体ケース１の前面から見て左側には、加湿フィルター９が装着され、貯水容器８の本体ケース１の前面から見て右側には、タンク部分１０が装着される。タンク部分１０から供給された水が、貯水容器８内に所定の量だけ溜まる。
【００１９】
加湿フィルター９は、略角筒形状であり、上下面が開口しており、貯水容器８内に溜まった水に、下端部が浸漬するように、貯水容器８に装着されている。加湿フィルター９は、貯水容器８内に溜まった水を吸い上げ、加湿フィルター９全体が湿った状態になる。加湿フィルター９の少なくとも一部は、吸込口４に対向している。つまり、吸込口４から本体ケース１内を見ると、加湿フィルター９の少なくとも一部が見える。
【００２０】
タンク部分１０は、水を貯水できるタンク容器１１と、タンク容器１１の上部に設けられたタンク取手１２と、タンク容器１１の下部に備えた加湿部７分へ水を供給するタンク給水機構１３とから形成されている。
【００２１】
図４は、本発明の実施の形態１の空気調和装置の送風手段の詳細断面図である。図４は、本体ケースにおける右側から見た断面図である。
【００２２】
図２、図４に示すように、送風手段３は、加湿フィルター９の上方に設けられているモータ１４と、モータ１４によって回転する羽根部分１５とから構成している。送風手段３によって、吸込口４から吸い込まれた空気は、送風路６により、空気調和手段２を介して吹出口５から吹き出される。
【００２３】
送風路６の垂直断面形状は、略Ｌ字形状である。送風路６は、まず吸込口４から水平方向に延び、加湿フィルター９へ連通している。次に加湿フィルター９から上方延び、送風手段３へ連通している。最後に、送風手段３から上方延び、吹出口５へ連通している。
【００２４】
続いて、空気調和装置における空気の流れを説明する。吸込口４と吹出口５とを連通する送風路６には、吸込口４、加湿フィルター９、送風手段３、吹出口５が順に配置されている。送風手段３によって、本体ケース１外の空気が、吸込口４から吸い込まれ、加湿フィルター９へ送風される。この加湿フィルター９の側周面を通過することによって、湿った空気となる。この湿った空気が、送風手段３を介し、吹出口５から室内へ送風される。
【００２５】
なお、空気調和手段２は、加湿部７でなくてもよく、除湿部、空気清浄部でもよい。
【００２６】
本実施形態における特徴は、本体ケース１の一方側（背面側）の側面から外方に突出した凸部１７である。すなわち、吸込口４が、本体ケース１における一方側（背面側）の側面に設けられ、本体ケース１の一方側（背面側）の側面には、外方に突出した凸部１７を設けられている。本体ケース１の外周面の一方側（背面側）から見ると、凸部１７は、横長四角形状で、吸込口４より上方に設けられている。
【００２７】
これにより、吸込口４を備えた一方側（背面側）の側面を、誤って壁１８に接するように置かれた場合にも、凸部１７によって、吸込口４と壁１８との間に吸込空間１９ができるので、吸込口４が壁１８によって塞がれない。
【００２８】
結果として、送風量の低下することを抑制できる。
【００２９】
なお、本実施の形態１では凸部１７の形状を横長四角形状で、吸込口４より上方に備えている配置としたが、吸込口４と壁１８との間に吸込空間１９が出来る形状、例えば楕円形状やリブを設けるのみでも効果に差異はない。また、凸部１７の配置は一方側（背面側）の側面に突出しているのであれば吸込口４より上方以外に配置しても同様の効果を有する。
【００３０】
また、送風路６は、本体ケース１の凸部１７によって、送風路６の途中に水平断面積が増加した第１の送風路部分２０を有する。すなわち、本体ケース１の凸部１７の内面に沿うように、送風路６が本体ケース１における外方へ膨らんだ第１の送風路部分２０を備えている。
【００３１】
これにより、凸部１７を備えていない場合に比べて、送風路６の断面積が増加することになることから、所定風量を送風した時の圧力損失を低減させることができ、ひいては送風手段３の出力や送風時の騒音を低減することができる。
【００３２】
また、送風手段３は、送風路６内に設けられたモータ１４と、モータ１４によって回転する羽根部分１５とを有している。羽根部分１５は、下部から空気を吸い込むと共に、側周から吹き出す遠心ファンである。羽根部分１５から吹き出される空気は、第１の送風路部分２０に吹き出される。すなわち、羽根部分１５の一部は、第１の送風路部分２０内に設けられている。
【００３３】
これにより、羽根部分１５の直径が同じで、凸部１７を備えていない場合に比べて、羽根部分１５の端部から凸部１７の内壁面までの距離が長くなる。これにより、羽根部分１５から水平方向へ吹出された空気の風向が、凸部１７の内壁に沿って螺旋を描きながら風向を上方に備えた吹出し口の方向へ変化するまでに空間的な余裕ができる。結果として、圧力損失を低減させることができ、ひいては送風手段３の出力や送風時の騒音を低減することができる。
【００３４】
また、第２の送風路部分２１の入口部は、加湿フィルター９の上部開口部より小なる形状である。羽根部分１５に吸い込まれる空気は、送風路６である第１の送風路部分２０の上流側で、空気が流れる方向に水平断面積が徐々に増加する第２の送風路部分２１から吸い込まれる。
【００３５】
これにより、加湿フィルター９の上部開口部から流出した空気が、第２の送風路部分２１を通過する際に、水平断面積が徐々に増加することで、水平断面積が急に増加した際に比べて風路の急拡大による圧力損失の増加の影響がなく、ひいては送風手段３の出力や送風時の騒音を低減することができる。
【００３６】
また、羽根部分１５は、主板部分２２と、羽根２３と、リング部分２４とから構成している。
【００３７】
主板部分２２は、上面が開口した椀形状である。羽根２３は、水平断面形状が、円弧形状で、主板部分２２の下面から下方に複数延びている。リング部分２４は、下部開口が上部開口より小さい円筒形状で、複数の羽根２３の先端に設けられている。リング部分２４は、送風路６における第２の送風路部分２１に位置し、リング部分２４の外周面と送風路部分２１の内壁はリング部分２４が回転するのに支障がない程度に近接する構成である。すなわち、リング部分２４は、送風路６における第２の送風路部分２１の内面に沿うように設けられている。
【００３８】
ここで、羽根部分１５によって生み出される空気の圧力は、第１の送風路部分２０が高圧側となり、第２の送風路部分２１は低圧側となる。このため、第１の送風路部分２０からリング部分２４の外周側を通過して第２の送風路部分２１へ逆流する逆流空気２５が発生する。しかし、リング部分２４は、送風路６における第２の送風路部分２１の内面に沿うように設けられており、第１の送風路部分２０の断面積より、第１の送風路部分２０からリング部分２４の外側を通過して第２の送風路部分２１へ逆流する風路の断面積が狭いので、前述の高圧側と低圧側の関係によって発生する逆流空気２５を最低限に抑えることができ、効率のよい送風が行える。
【００３９】
また、凸部１７の最突出部と吹出口５の一方側（背面側）の縁部２６に水平方向で所定の距離を有した配置の構成である。
【００４０】
これにより、空気調和装置を凸部１７の最突出部（先端部）を壁１８に当接させて設置した時に、吹出口５と壁１８との間に所定の距離が空くことから、空気調和装置から吹出した空気調和された空気が直接壁１８に吹き付けることを抑制し、例えば加湿されて吹出した空気の場合でも壁１８に貼り付けられた壁紙（図示せず）の近傍の湿度を局所的に上昇させて結露させることによる壁紙の剥れなどの不具合を防止することができる。
【００４１】
また、凸部１７の上部は、下方から上方に向かうにつれて突出する寸法が減少する傾斜面２７を有している。送風路６は、第１の送風路部分２０の下流側には、傾斜面２７に沿うように空気が流れる方向に水平断面積が徐々に減少する第３の送風路部分２８を備えている。すなわち、傾斜面２７に沿うように、第３の送風路部分２８を備えている。
【００４２】
これにより、第３の送風路部分２８の風上側から風下側に向かって徐々に水平断面積が減少することから、急に減少した場合に比べて風路内の圧力損失の上昇を抑えることができる。更に、送風手段３によって送風された空気は、第３の送風路部分２８に沿って吹出口５へ送風されるので、本体ケース１における他方側（前面側）へ吹き出される。これにより、空気調和装置を凸部１７の最突出部（先端部）を壁１８に当接させて設置した時に、吹出口５から吹出した空気調和された空気が直接壁１８に吹き付けることを抑制できる。例えば加湿されて吹出した空気の場合でも壁１８に貼り付けられた壁紙（図示せず）の近傍の湿度を局所的に上昇させて結露させることによる壁紙の剥れなどの不具合を防止することができる。
【００４３】
また、羽根部分１５の主板部分２２の上方には主板部分２２とほぼ同寸法の円柱部２９が主板部分２２からほぼ距離をあけずに配置されている。なお、ほぼ距離をあけずに配置されているとは、主板部分２２が、回転できる程度に円柱部２９と離れていればよい。
【００４４】
これにより、第１の送風路部分２０から第３の送風路部分２８の外周に沿って螺旋を描きながら送風される空気の流れが安定する。例えば円柱部２９を備えない場合に起こる現象、つまりは第３の送風路部分２８の中心部が開放されているため、螺旋による遠心力により風向が第３の送風路部分２８の外周方法へ向かう空気が圧力差によって逆方向である第３の送風路部分２８の中心方法へ引かれる現象を抑えることができ、ひいては送風時の騒音を低減することができる。
【００４５】
また、凸部１７の表面には、外周面における一方側（背面側）へ突起した突起部３０が配置されている。突起部３０の厚みは約２ｍｍ程度であり、先端が半球形状をしている。
【００４６】
これにより、空気調和装置を凸部１７の突起部３０を壁１８に当接させて設置した時には、壁１８と空気調和装置との当接部が突起部３０の先端のみとなり、ほぼ点接触で当接される。
【００４７】
例えば、空気調和装置が突起部３０を備えない状態で壁１８と当接した場合には、横長四角形状の凸部１７が壁１８に当接することにより、その当接部には気流が流れない。このように気流が流れないと、当接部の周囲に滞留している塵埃が、当接部の周囲の壁１８に付着し易くなると考えられる。特に、凸部１７の上部における凸部１７と壁１８との間に、塵埃が堆積し易くなる。そこで、空気調和装置の凸部１７と壁１８の当接部を突起部３０による点接触にすることで凸部１７と壁１８の間に気流が流れ、凸部１７の上部における凸部１７と壁１８との間に堆積する塵埃を低減でき、壁の美観の低下を防止することができる。
【００４８】
なお、本実施の形態１では突起部３０の形状を半球形状をしたが、壁１８と突起部３０の当接部を極力少なくした形状、例えばリブ形状による線接触でも効果に差異はない。また、突起部３０の厚みを約２ｍｍ程としているが、凸部１７と壁１８の間に気流が生じる厚みであれば同等の効果を有する。
【００４９】
また、モータ１４は円柱部２９の内部へ配置する構成である。
【００５０】
これにより、送風手段３をコンパクトに構成することができ、さらにはモータ１４を第３の送風路部分２８の内部に配置することでモータ１４を送風路６の外に配置することができ、つまりはモータが占有していた風路面積の減少、圧力損失の低減をすることができ、空気調和装置の小型化および送風手段３の出力や送風時の騒音を低減することができる。
【産業上の利用可能性】
【００５１】
本発明にかかる空気調和装置は、吸込口を備えた一方側の側面を、誤って壁に接するように置かれた場合にも、凸部によって、吸込口と壁との間に空間ができるので、吸込口が壁によって塞がれないことを可能とするものであるので、家庭用や事務所用などに使用される空気調和装置等として有用である。
【符号の説明】
【００５２】
１    本体ケース
２    空気調和手段
３    送風手段
４    吸込口
５    吹出口
６    送風路
７    加湿部
８    貯水容器
９    加湿フィルター
１０    タンク部分
１１    タンク容器
１２    タンク取手
１３    タンク給水機構
１４    モータ
１５    羽根部分
１７    凸部
１８    壁
１９    吸込空間
２０    第１の送風路部分
２１    第２の送風路部分
２２    主板部分
２３    羽根
２４    リング部分
２５    逆流空気
２６    縁部
２７    傾斜面
２８    第３の送風路部分
２９    円柱部
３０    突起部
【図１】
0006387518.tif 000002
【図２】
0006387518.tif 000003
【図３】
0006387518.tif 000004
【図４】
0006387518.tif 000005